(57)【特許請求の範囲】
【請求項１】
ディスプレイパネル用のＧ６サイズ以上の大サイズの基板をベースとする処理基板を、立てた状態で、搬送しながら処理基板の成膜する側の面とターゲットプレートとを対向させスパッタを行うスパッタ装置における、処理基板を保持するための基板ホルダー部であって、衝撃吸収性の高い材質からなり、前記処理基板の下側面部全体と面接触して、該処理基板を支持する基板受け部を備えているものであり、且つ、前記衝撃吸収性の高い材質がポリテトラフルオロエチレン（ＰＴＦＥ）、ポリイミド樹脂のいずれか１であることを特徴とする基板ホルダー部。
【請求項２】
請求項１に記載の基板ホルダー部であって、前記基板受け部は、基体（ベース基材部とも言う）である四角状の枠部の下側に配設されており、処理基板の水平方向の移動を、処理基板の側面と接触して抑制し、水平方向の位置決めを行う位置決めピンを、処理基板の側面に配していることを特徴とする基板ホルダー部。
【請求項３】
請求項１ないし２のいずれか１項に記載の基板ホルダー部であって、インラインで、処理基板を立てた状態で搬送しながら、処理基板の成膜する側の面とターゲットプレートとを対向させ、スパッタを行う、インラインスパッタ装置用のもので、搬送用のキャリアに搭載し、該キャリアと一体的に搬送されるものであることを特徴とする基板ホルダー部。
【請求項４】
請求項１ないし３のいずれか１項に記載の基板ホルダー部であって、前記処理基板が、ガラス基板をベース基板とし、該ガラス基板の一面側に各色の着色層をカラーフィルタとして形成したカラーフィルタ形成基板で、前記スパッタ装置が、該カラーフィルタ形成面側にＩＴＯ膜をスパッタ成膜するスパッタ装置であることを特徴とする基板ホルダー部。
【請求項５】
請求項１ないし４のいずれか１項に記載の基板ホルダー部を備えたことを特徴とするスパッタ装置。
【発明の詳細な説明】
【技術分野】
【０００１】
本発明は、処理基板を立てた状態で保持する基板ホルダー部に関し、特に、処理基板を保持する基板ホルダー部が一体となった搬送用のキャリアにて処理基板を搬送しながら、処理基板の成膜する側の面とターゲットプレートとを、対向させ、ＩＴＯ膜をスパッタ成膜するインラインスパッタ装置における、基板ホルダー部に関する。
【背景技術】
【０００２】
近年、情報化社会への進展が著しく、ディスプレイ装置の使用も多様化し、種々のディスプレイ装置が開発、実用化されている。
特に、液晶表示装置は、ＣＲＴ（Ｃａｔｈｏｄｅ−Ｒａｙ  Ｔｕｂｅ、ブラウン管) に代わり、広く普及されるようになってきた。
液晶表示装置用のカラー表示用の液晶パネルは、簡単には、バックライトからの光が各色の着色層を通過して表示されるが、各色の着色層を通過する光は、画素毎に液晶をスイッチング素子としてオン−オフ制御されている。
そして、この画素毎に液晶をスイッチング素子としてオン−オフ制御するための制御用電極の材質としては、従来から、透明導電性のＩＴＯ膜（錫をドープしたインジウム酸化物）が用いられている。
ＩＴＯ膜の成膜方法としては、ＩＴＯ焼結体をターゲットとし、所定のスパッタリング条件の下で基板上にＩＴＯをスパッタリングすることにより、所望のＩＴＯ膜を形成する方法が、特開平６−２４８２６号公報（特許文献１）、特開平６−２４７７６５号公報（特許文献２）等にて知られている。
【特許文献１】特開平６−２４８２６号公報
【特許文献２】特開平６−２４７７６５号公報
【０００３】
生産性向上の面、低コスト化の面等から、面付け生産が行われているが、これに用いられる透明なガラス基板の大型化の要求は強く、最近では、Ｇ６世代（１８００ｍｍ×１５００ｍｍサイズ）サイズの大サイズのガラス基板での量産化が現実のものとなってきている。
そして、生産性の面から、このような、大サイズのガラス基板を用いた処理基板へのＩＴＯ膜の成膜をインラインで行う、図４（ａ）にその概略構成配置図を示すような、インラインＩＴＯスパッタ成膜装置も提案されている。
ここに示すスパッタ装置においては、図４（ｂ）に示すように、大サイズのガラス基板をベース基板とする処理基板４６３を、キャリア４６０に搭載して鉛直方向４９２に立てた状態で、インラインで、搬送しながらスパッタ処理を行い、処理基板４６３の一面側に電極用のＩＴＯ膜をスパッタ成膜する。
簡単には、処理基板４６３は、ローディングチャンバー４１１に投入され、ヒーティングチャンバー（予備チャンバーとも言う）４１２を経て、第１のスパッタチャンバー４１３に投入され、搬送されながらスパッタ処理され、回転処理部４２０に搬入され、ここで、回転部によりキャリアごと１８０度回転され、向きを変え、第２のスパッタチャンバー４３３に投入され、搬送されながらスパッタ処理される。
そして、スパッタ後、トランスファーチャンバー（予備チャンバーとも言う）４３２、アンローディングチャンバー４３１を経て搬出される。
ここでは、図４（ｂ）に示すように、処理基板４６３を保持するための枠部４６１を有する基板ホルダー部４６０Ａに処理基板４６３を載せた状態で、搬送用のキャリア４６０に搭載し、基板ホルダー４６０Ａとキャリア４６０とを一体として移動させることにより、処理基板４６３を立てた状態で搬送する。
基板ホルダー部４６０Ａは、枠部４６１に、順に、処理基板４６３、裏板４６１を嵌め込み、処理基板４６３を保持するものであり、処理基板４６３は、鉛直方向４９２に沿うように立てた状態でキャリア４６０の基板ホルダー部４６０Ａにはめ込まれている。
そして、図４（ａ）に示すように、処理基板４６３は、基板ホルダー部４６０Ａごとキャリア４６０に搭載されて、水平方向４９１に搬送され、鉛直方向４９２に沿うように立てた状態で、ターゲット４７１と平行にして対向させてスパッタが行われる。
尚、図４（ａ）中、点線矢印は、キャリア４６０の搬送方向を示している。
図示していないが、ここでのスパッタ方式は、ターゲット４７１の裏面側（処理基板４６３側とは反対の側）に、外側磁極と内側磁極の間で磁場が閉じるように設計し、発生したプラズマをターゲット４７１近傍のみに存在するようにしているマグネトロンスパッタ方式のものである。
大サイズの処理基板として、例えば、大サイズの透明なガラス基板の一面側に各色の着色層をカラーフィルタ（以下、ＣＦとも言う）として形成したカラーフィルタ形成基板が挙げられ、この処理基板のＣＦ形成面側に、電極用のＩＴＯ膜を成膜する。
【０００４】
図４（ｂ）に示すキャリア４６０には、図示していない駆動用モーター（キャリア側のものではない）からの駆動力を歯車４６８Ａとの噛み合わせで伝える溝を切った溝形成部４６８がその下部に設けられており、更に、歯車４６８Ａによる磨耗を極力抑えるために、キャリア４６０の溝形成部４６８の進行方向両側、下側に平坦部を有する搬送支持レール４６６、４６７が、キャリアの荷重を支えるために設けられており、本体側にある前記の歯車４６８Ａとは異なるボビンのような回転体４６９にキャリア側の搬送支持レール４６６、４６７の平坦部が乗っかるようになっている。
キャリア４６０は、その下側に設けられた搬送支持レール４６６、４６７に保持されながら、溝形成部４６８にて駆動用モーターからの駆動力を歯車４６８Ａの噛み合わせで受けて、搬送される。
Ｇ６世代では、スパッタ処理する処理基板４６３と基板ホルダー部４６０Ａ、キャリア４６０を併せた重量は１００ｋｇ程度となるため、どうしても磨耗が発生するためこのように、できるだけ、前記溝形成部２００と歯車との嵌合を少なくしている。
尚、キャリア４６０、基板ホルダー部４６０Ａの枠部４６１の材質としては重量の面、剛性の面から、Ｔｉが好ましく用いられる。
スパッタリングは、Ａｒガス雰囲気中、１０-3ｔｏｒｒ〜１０-2ｔｏｒｒ圧下で、プレート状にされた、成膜する膜組成のＩＴＯをターゲットとして用いて行う。
この場合、ＣＦを形成する着色層の耐熱性（ＣＦからの脱ガス）の面から、低温で成膜を行うことが求められている。
尚、このような、マグネトロンスパッタ方式で、低温スパッタには、例えば、Ｉｎ2 Ｏ3 、９０ｗ％＋ＳｎＯ2 、１０ｗ％組成の焼結したターゲット材を、厚さ８ｍｍ〜１５ｍｍとして用いる。
例えば、ターゲットとしては、Ｃｕプレートをバッキング材として、インジウム半田を接着層とし、つなぎ目は斜めにして、多数枚の焼結ターゲット材をつなぎ合わせている。      
【０００５】
このような、スパッタ装置においては、枠部４６１は、通常、処理基板の非処理面側に接触する複数のピン（図３の支持ピン５２に相当）により、処理基板を支持しているが、基板をセットする際の衝撃や、搬送における振動による衝撃で、ピンと接触する処理基板の面部にキズがつくことがあり、特に、Ｇ６世代のサイズのガラス基板をベースとする処理基板では、その重量は重くなり、搬送における振動による衝撃で、ピンと接触する処理基板の面部にキズがついたり、割れ等の損傷が発生することがあり、これが問題となっていた。
前記ピン材質としては、従来、ポリベンゾイミダゾール（ＰＢＩ）等が用いられていた。
液晶ディスプレイパネル等のフラットパネルの普及が進むにつれ、生産性の向上や低コスト化の面から基板の大型化が必要となり、最近では、Ｇ１０世代での量産化が進められており、益々問題となっている。
処理基板が大きくなり重量が増すことにより、基板を受けるピンへの圧力が増加することや、基板が大きくなることにより、基板中央部のぶれが大きくなり、接触部のキズ、汚れ具合が大きくなり、無視できないレベルになってきた。
また、表示パネルの薄型化要求が加速し、従来よりガラス基板を薄くしたい要求があるが、薄型化が加速すると、製造装置での薄いガラス基板の流品において、ガラス基板の強度がなくなることにより、ガラス基板の破損が顕著になるため、表示パネル完成後、エッチングにより該表示パネルのガラス基板をエッチングして薄くする場合がある。
この場合、液晶表示パネルにおいては、２枚のガラス基板を重ね合わせ、セル化した後に、エッチング処理を施し、セル化されたパネル自体を薄くする方式が知られている。
その際、目視できないレベルの汚れ、キズが処理基板表面に付着している場合、エッチング処理を施すことで、該汚れ、キズが顕著に見えるようになり、品質的に問題となっていた。
これは、基板上に汚れがついている場合、汚れが付いている部分は、エッチングレートが、他の部分に比べ遅いため、該汚れ模様が浮きでてくることによる。
【発明の開示】
【発明が解決しようとする課題】
【０００６】
上記のように、近年、情報化社会への進展が著しく、ディスプレイ装置の使用も多様化し、特に、液晶表示装置が広く普及されるようになり、その生産性向上の面、低コスト化の面から、面付け生産が行われているが、これに用いられるガラス基板をベースとする処理の大型化の要求は強く、最近では、Ｇ６世代（１８００ｍｍ×１５００ｍｍサイズ）の大サイズの透明なガラス基板での量産化が現実のものとなってきている。
このような中、図４（ａ）に示すようなスパッタ装置においては、ターゲット４７１と処理基板４６３とを立てた状態で対向させて、搬送しながらスパッタ処理を行っているが、処理基板をセットする際の衝撃や、キャリアの搬送系において搬送の際に発生する振動による衝撃で、ピンと接触する処理基板の面部にキズがつくことがあり、特に、Ｇ６世代のサイズのガラス基板をベースとする処理基板では、その重量は重くなり、搬送における振動により、ピンと接触する処理基板の面部にキズがついたり、割れ等の損傷が発生することがあり、この対応が求められていた。
また、表示パネル用の処理基板をピンで保持する場合、目視できないレベルの汚れ、キズが処理基板のピンと接触する表面に付着ないし発生している場合、表示パネル薄化のために処理基板にエッチング処理を施すことで、その部分の汚れ、キズが顕著に見えるようになり、品質的に問題となっていた。
本発明はこれらに対応するもので、処理基板を保持してキャリアに搭載した状態で、インラインで、キャリアごと搬送しながら、該処理基板の一面側に成膜を施す成膜装置に用いられる、処理基板を保持する基板ホルダー部で、処理基板をセットする際の衝撃や、キャリアの搬送系において搬送の際に発生する振動による衝撃で、処理基板と接触する接触面部において、キズや割れ等の損傷が発生しない、更には、目視できないレベルの汚れ、キズが処理基板の接触する表面に付着しない、処理基板を保持する基板ホルダー部を提供しようとするものである。
特に、ターゲットと処理基板とを立てた状態で対向させて、搬送しながらスパッタ処理を行う縦型のインラインスパッタ装置に用いられる基板ホルダー部で、Ｇ６世代以上の大サイズの処理基板を、処理する場合において、接触して処理基板を支持する基板ホルダー部による、処理基板のキズや割れ等の損傷が発生しない、更には、目視できないレベルの汚れ、キズが処理基板の接触する表面に付着ないし発生しない、基板ホルダー部を提供しようとするものである。
【課題を解決するための手段】
【０００７】
本発明の基板ホルダー部は、ディスプレイパネル用のＧ６サイズ以上の大サイズの基板をベースとする処理基板を、立てた状態で、搬送しながら処理基板の成膜する側の面とターゲットプレートとを対向させスパッタを行うスパッタ装置における、処理基板を保持するための基板ホルダー部であって、衝撃吸収性の高い材質からなり、前記処理基板の下側面部全体と面接触して、該処理基板を支持する基板受け部を備えているものであり、且つ、前記衝撃吸収性の高い材質がポリテトラフルオロエチレン（ＰＴＦＥ）、ポリイミド樹脂のいずれか１であることを特徴とするものである。
そして、上記の基板ホルダー部であって、前記基板受け部は、基体（ベース基材部とも言う）である四角状の枠部の下側に配設されており、処理基板の水平方向の移動を、処理基板の側面と接触して抑制し、水平方向の位置決めを行う位置決めピンを、処理基板の側面に配していることを特徴とするものである。
また、上記いずれかの基板ホルダー部であって、インラインで、処理基板を立てた状態で搬送しながら、処理基板の成膜する側の面とターゲットプレートとを対向させ、スパッタを行う、インラインスパッタ装置用のもので、搬送用のキャリアに搭載し、該キャリアと一体的に搬送されるものであることを特徴とするものである。
また、上記いずれかの基板ホルダー部であって、前記処理基板が、ガラス基板をベース基板とし、該ガラス基板の一面側に各色の着色層をカラーフィルタとして形成したカラーフィルタ形成基板で、前記スパッタ装置が、該カラーフィルタ形成面側にＩＴＯ膜をスパッタ成膜するスパッタ装置であることを特徴とするものである。
【０００８】
本発明のスパッタ装置は、請求項１ないし４のいずれか１項に記載の基板ホルダー部を備えたことを特徴とするものである。
【０００９】
（作用）
本発明の基板ホルダー部は、このような構成にすることにより、処理基板を保持してキャリアに搭載した状態で、インラインで、キャリアごと搬送しながら、該処理基板の一面側に成膜を施す成膜装置に用いられる、処理基板を保持する基板ホルダー部で、処理基板をセットする際の衝撃や、キャリアの搬送系において搬送の際に発生する振動による衝撃で、処理基板と接触する接触面部において、キズや割れ等の損傷が発生しない、更には、目視できないレベルの汚れ、キズが処理基板の接触する表面に付着ないし発生しない、処理基板を保持する基板ホルダー部の提供を可能としている。
具体的には、衝撃吸収性の高い材質からなり、前記処理基板の下側面部全体と面接触して、該処理基板を支持する基板受け部を備えているものであり、且つ、前記衝撃吸収性の高い材質がポリテトラフルオロエチレン（ＰＴＦＥ）、ポリイミド樹脂のいずれか１であることにより、これを達成している
詳しくは、従来の基板受けピンの点接触型から面接触型に変更することにより、基板下側にかかる基板の重量に起因する衝撃を軽減できるものとしている。
基板ホルダー部の基板受け部は、衝撃吸収性の高い材質からなることにより、処理基板下側面部への、処理基板セット時の衝撃や搬送の際の振動による衝撃を軽減できるものとしている。
【００１０】
また、前記基板受け部としては、基体（ベース基材部とも言う）である四角状の枠部の下側に配設されており、処理基板の水平方向の移動を、処理基板の側面と接触して抑制し、水平方向の位置決めを行う位置決めピンを、処理基板の側面に配している形態のものが挙げられる。
また、基板ホルダー部が、インラインで、処理基板を立てた状態で搬送しながら、処理基板の成膜する側の面とターゲットプレートとを対向させ、スパッタを行う、インラインスパッタ装置用のもので、搬送用のキャリアに搭載し、該キャリアと一体的に搬送されるものである場合には、インラインでのスパッタを処理基板を搬送させながら行え、作業性の良いものとしている。
特に、前記処理基板が、ガラス基板をベース基板とし、該ガラス基板の一面側に各色の着色層をカラーフィルタとして形成したカラーフィルタ形成基板で、前記スパッタ装置が、該カラーフィルタ形成面側にＩＴＯ膜をスパッタ成膜するスパッタ装置である場合には、カラー表示用の液晶パネル用の処理基板の生産を、大型化でき、生産性の良いものとできる。
【発明の効果】
【００１１】
本発明は、上記のように、処理基板を保持してキャリアに搭載した状態で、インラインで、キャリアごと搬送しながら、該処理基板の一面側に成膜を施す成膜装置に用いられる、処理基板を保持する基板ホルダー部で、処理基板をセットする際の衝撃や、キャリアの搬送系において搬送の際に発生する振動による衝撃で、処理基板と接触する接触面部において、キズや割れ等の損傷が発生しない、更には、目視できないレベルの汚れ、キズが処理基板の接触する表面に付着ないし発生しない、処理基板を保持する基板ホルダー部の提供を可能とした。
【発明を実施するための最良の形態】
【００１２】
本発明の実施の形態を図に基づいて説明する。
図１（ａ）は本発明の基板ホルダー部の実施の形態の１例の平面図で、図１（ｂ）は図１（ａ）のＡ１−Ａ２における断面図で、  図２（ａ）は搬送用のキャリアと基板ホルダー部とを示した概略断面図で、図２（ｂ）は図２（ａ）のＢ１方向からみた概略図で、図３（ａ）は従来のピン方式の基板受けを用いた基板ホルダー部の平面図で、図３（ｂ）は図３（ａ）のＣ１−Ｃ２における断面図である。
尚、図２においては、キャリアの他にも回転ロールや歯車を示している。
また、図３（ａ）は図３（ｂ）のＣ３側から透視してみた図で、図３（ｂ）においては、処理基板２０、押さえ板（裏板とも言う）５５を便宜上、図示している。
図１〜図４中、１０は基板ホルダー部、１１は枠部（枠体とも言う）、１２は基板受け部、１５ａ、１５ｂは位置きめピン（押さえピンとも言う）、１５ｃは押さえピン、１６ａ、１６ｂ、１６ｃは（ピンの）保持部、２０は処理基板、２０ａは下側面部、３１は水平方向、３２は鉛直方向、５０は基板ホルダー部、５１は枠部（枠体とも言う）、５２は支持ピン（基板受け部とも言う）、５３は位置決めピン、５４は押さえピン、５５は押さえ板、１００はキャリア、１５０は支持部、１６１、１６２は位置決め回転ロール、１６１ａ、１６２ａは軸、１７１、１７２は搬送支持レール（単に支持部とも言う）、１９０は回転ロール（回転体とも言う）、１９０ａは軸、２００は溝形成部、２１０は歯車である。
【００１３】
はじめに、本発明の基板ホルダー部の実施の形態の１例を、図１に基づいて説明する。  本例の基板ホルダー部１０は、図２に示すようにキャリア１００に搭載され、図４に示す各部の構成配列と同じ構成配列のスパッタ装置において、処理基板を保持しながら搬送され、スパッタが行われる、ＩＴＯ成膜用の基板ホルダー部である。
図４に示す各部の構成配列と同じ構成配列のスパッタ装置は、ディスプレイパネル用のＧ６世代サイズ（１８００ｍｍ×１５００ｍｍサイズ）以上の大サイズの透明なガラス基板をベース基板とする処理基板２０を、本例の真空成膜用の基板ホルダー部１０で保持してキャリア４６０（図２の１００に相当）に搭載して立てた状態で、インラインで、搬送しながらスパッタ処理を行い、処理基板の一面側に電極用のＩＴＯ膜をスパッタ成膜する、マグネトロンスパッタ方式のスパッタ装置である。
処理基板２０（図４の４６３に相当）の成膜する側の面とターゲットとを、平行に対向させ、搬送しながら、スパッタ処理を行うものであるが、図１（ｂ）や図２（ａ）に示すように、処理基板２０は、鉛直方向から若干斜めにして立てた状態で基板ホルダー部１０に搭載されている。
ここでは、処理基板２０は、ガラス基板をベース基板とし、該ガラス基板の一面側に各色の着色層をカラーフィルタとして形成したカラーフィルタ形成基板である。
本例の真空成膜用の基板ホルダー部１０は、図１（ａ）に示すように、処理基板２０の下側面部２０ａと面接触して、該処理基板２０を支持する衝撃吸収性の高い材質からなる基板受け部１２を、基体（ベース基材部とも言う）である四角状の枠部１１の下側に備えている。
そして、本例の真空成膜用の基板ホルダー部１０は、処理基板の水平方向の移動を、処理基板２０の側面と接触して抑制し、水平方向の位置決めを行う位置決めピン１５ａ、１５ｂ、を、処理基板２０の側面に配しており、また、処理基板２０の上側を押さえる押さえピン１５ｃを備えている。
【００１４】
本例の基板ホルダー部１０の場合は、従来の基板受けピン（図３の５２に相当）が、図３に示すように、点接触であるのに対して、基板受け部１２を、処理基板２０の下側面部２０ａ全体と面接触してその重さを受ける形態としていることにより、処理基板２０下側にかかる基板の重量に起因する衝撃を軽減できるものとしている。
尚、図３に示す従来の基板ホルダー部５０においては、処理基板を枠部５１に保持されたポリベンゾイミダノール（ＰＢＩ）等からなる支持ピン５２にて支持し、弾力と剛性を併せて持つ押さえピン５４と押さえ板５５により処理基板を押さえて保持するものである。
また、基板ホルダー部１０の基板受け部１２は、衝撃吸収性の高い材質からなることにより、処理基板下側面部２０ａへの、処理基板セット時の衝撃や搬送の際の振動による衝撃を軽減できるものとしている。
前記衝撃吸収性の高い材質としては、スパッタ処理の際の熱に対する耐熱性や、成形加工が容易にできるものが好ましく、ポリテトラフルオロエチレン（ＰＴＦＥ）、ポリイミド樹脂（デュポン（株）「ベスペル」が挙げられる。
尚、ポリテトラフルオロエチレン（ＰＴＦＥ）は、耐熱性、耐薬品性に優れているだけでなく、特に摩擦係数が小さく摺動特性にも優れているので、軸受け、歯車、パッキン、ピストンリングなどのエンジニアリングプラスチック材料として広く利用されている。
また、ポリイミド樹脂（デュポン（株）「ベスペル」）は、はデュポン社が開発した全芳香族ポリイミド樹脂の成形体の総称で、現在量産されている高機能樹脂（スーパーエンプラ）の中で最も優れた耐熱性、卓越した耐摩耗性を兼ね備えた樹脂素材で、大気中での耐熱性（連続使用温度）は約３００℃あり、ガラス製造設備関係の高耐熱を要求される部品や治具、高耐摩耗性を要求されるシールリングなどの部品、高荷重の揺動に対してすべり性を要求される箇所の部品、半導体関連の部品等として用いられている。
本例の基板ホルダー部１０は、このような構成にすることにより、振動により、処理基板２０を支持する基板支持部１１と成膜対象の処理基板２０とが接触する接触部において、キズや割れ等の損傷が発生しないものとしている。
【００１５】
尚、枠部１１の材質については、剛性が大きく、強固で、軽いものが好ましく、Ｔｉやステンレスが挙げられる。
また、図２に示すキャリア１００の他の各部についても、剛性が大きく、強固で軽い材質が好まく、枠部１１と同様に、Ｔｉやステンレスが用いられる。
【００１６】
本例の基板ホルダー部１０は１例で、本発明は、これに限定はされない。
上記は、図４に示す方式の成膜装置で、図１や図２に示す方向に鉛直方向から若干斜めにした状態でターゲットと処理基板とを対向させたものであるが、処理基板２０が倒れないように押さえ部材を配して、且つ、鉛直方向にターゲットと処理基板とを対向させた形態も挙げられる。
また、上記基板ホルダー部は一体ものであるが、２分割以上に分割した形態のものでも、処理基板と均一に面接触できるものであれば良い。
勿論、図４に示す各部の構成配置を直線的に設けた形態としても良い。
【００１７】
尚、ターゲット３０としては、ここでは、例えば、Ｉｎ2 Ｏ3 、９０ｗ％＋ＳｎＯ2 、１０ｗ％組成の焼結したターゲット材を、厚さ８ｍｍ〜１５ｍｍとしたものを用いるが、サイズを大とするために、Ｃｕプレートをバッキング材として、インジウム半田を接着層とし、複数枚の焼結ターゲット材をつなぎ合わせて四角状にしている。
そして、スパッタリングは、Ａｒガス雰囲気中、１０-3ｔｏｒｒ〜１０-2ｔｏｒｒ圧下で、プレート状にされた、成膜する膜組成のＩＴＯをターゲットとして用いて行う。
この場合、ＣＦを形成する着色層の耐熱性（ＣＦからの脱ガス）の面から、低温で成膜を行うことが好ましい。
【００１８】
キャリア１００は、図４（ｂ）に示すキャリア４６０と同じである。
キャリア１００の搬送は、図２に示すように、駆動用モーターからの駆動力を歯車２１０との噛み合わせで伝える溝を切った溝形成部２００が、キャリア１００下部に設けられており、更に、歯車２１０による磨耗を極力抑えるために、キャリア１００の溝形成部２００の進行方向両側、下側に、平坦部を有する搬送支持レール１７１、１７２が、キャリアの荷重を支えるために設けられており、本体側にある前記の歯車２１０とは異なるボビンのような回転体１９０にキャリア側の搬送支持レール１７１、１７２の平坦部が乗っかるようになっている。
本例においては、このような回転体１９０、歯車２１０を、搬送路に沿い複数配置して搬送を行う。
【００１９】
図４に示すスパッタ装置においては、簡単には、処理基板２０（図４の４６３に相当）は、ローディングチャンバー（図４の４１１に相当）に投入され、ヒーティングチャンバー（図４の４１２に相当）を経て、第１のスパッタチャンバー（図４の４１３に相当）に投入され、搬送されながらスパッタ処理され、回転処理部（図４の４２０に相当）に搬入され、ここで、回転部によりキャリアごと１８０度回転され、向きを変え、第２のスパッタチャンバー（図４の４３３に相当）に投入され、搬送されながらスパッタ処理される。  そして、スパッタ後、トランスファーチャンバー（図４の４３２に相当）、アンローディングチャンバー１（図４の４３１に相当）を経て搬出される。
尚、各チャンバーの境には、機械的な仕切りがあり、各仕切りの開放は、両側のチャンバーの真空度を同じ程度にして行う。
【図面の簡単な説明】
【００２０】
【図１】図１（ａ）は本発明の基板ホルダー部の実施の形態の１例の平面図で、図１（ｂ）は図１（ａ）のＡ１−Ａ２における断面図である。
【図２】図２（ａ）は搬送用のキャリアと基板ホルダー部とを示した概略断面図で、図２（ｂ）は図２（ａ）のＢ１方向からみた概略図である。
【図３】図３（ａ）は従来のピン方式の基板受けを用いた基板ホルダー部の平面図で、図３（ｂ）は図３（ａ）のＣ１−Ｃ２における断面図である。
【図４】図４（ａ）はインライン型のＩＴＯスパッタ成膜装置の概略構成配置図で、図４（ｂ）は図４（ａ）に示すＩＴＯスパッタ成膜装置に用られるキャリアを示した図である。
【符号の説明】
【００２１】
１０                  基板ホルダー部
１１                  枠部（枠体とも言う）
１２                  基板受け部
１５ａ、１５ｂ        位置きめピン（押さえピンとも言う）
１５ｃ                押さえピン
１６ａ、１６ｂ、１６ｃ  （ピンの）保持部
２０                  処理基板
２０ａ                下側面部
３１                  水平方向
３２                  鉛直方向
５０                  基板ホルダー部
５１                  枠部（枠体とも言う）
５２                  支持ピン（基板受け部とも言う）
５３                  位置決めピン
５４                  押さえピン
５５                  押さえ板
１００                キャリア
１５０                支持部
１６１、１６２        位置決め回転ロール
１６１ａ、１６２ａ    軸
１７１、１７２        搬送支持レール（単に支持部とも言う）
１９０                回転ロール（回転体とも言う）
１９０ａ              軸
２００                溝形成部
２１０                歯車
４１１                ローディングチャンバー
４１２                ヒーティングチャンバー（予備チャンバーとも言う）
４１３                スパッタチャンバー
４２０                回転処理部
４２１                回転部
４３１                アンローディングチャンバー
４３２                トランスファーチャンバー（予備チャンバーとも言う）
４３３                スパッタチャンバー
４４１〜４４３        チャンバー仕切り
４４１ａ〜４４３ａ    チャンバー仕切り
４６０、４６０ａ      キャリア
４６０Ａ              基板ホルダー部
４６１                枠部（枠体とも言う）
４６２                裏板（押さえ板とも言う）
４６３                処理基板
４６４                支持部
４６５                位置決回転ローラ
４６５ａ、４６５ｂ    軸
４６６、４６７        支持部（搬送用支持部）
４６８                溝形成部
４６８Ａ              歯車
４６９                回転ローラ（回転部とも言う）
４６９ａ              軸
４７１                ターゲット
４９１                水平方向
４９２                鉛直方向
【図１】
0005167819.tif 000002
【図２】
0005167819.tif 000003
【図３】
0005167819.tif 000004
【図４】
0005167819.tif 000005